【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
吸収性複合材不織ウェブを作る方法であって、
第１の超吸収性ポリマー先駆体組成物を準備し、
複数の親水性繊維を運ぶ少なくとも１つの流れを与え、
前記超吸収性ポリマー先駆体組成物を、前記親水性繊維を運ぶ前記流れと組み合わせて混合物を形成し、
前記混合物内で前記超吸収性ポリマー先駆体組成物を化学反応させて、超吸収性ポリマーを形成し、
前記混合物を形成表面上に堆積して、
吸収性複合材不織ウェブを前記混合物から形成する、
ステップからなる方法。
【請求項２】
請求項１に記載の方法であって、前記複数の繊維が親水性繊維からなり、
前記第１の超吸収性ポリマー先駆体組成物を運ぶ一次ガス流を与え、
前記複数の親水性繊維を運ぶ二次ガス流を与えて、
前記一次ガス流及び二次ガス流を組み合わせて、前記混合物を運ぶ統合された流れを形成する、
ステップをさらに含む方法。
【請求項３】
請求項１に記載の方法であって、前記複数の繊維が熱可塑性繊維と親水性繊維からなり、
複数の熱可塑性繊維を運ぶ少なくとも１つの一次ガス流を与え、
前記複数の親水性繊維を運ぶ二次ガス流を与え、
前記第１の超吸収性ポリマー先駆体組成物を、前記一次ガス流及び二次ガス流の少なくとも１つに与えて、
前記一次ガス流及び二次ガス流を組み合わせて、前記混合物を含む統合された流れを形成する、
ステップをさらに含む方法。
【請求項４】
請求項１に記載の方法であって、前記複数の繊維は親水性繊維であり、
第２の超吸収性ポリマー先駆体組成物を準備し、
前記第１の超吸収性ポリマー先駆体組成物を運ぶ一次ガス流を与え、
前記複数の親水性繊維及び前記第２の超吸収性ポリマー組成物を運ぶ二次ガス流与え、  前記一次ガス流及び二次ガス流を組み合わせて、前記混合物を運ぶ統合された流れを形成して、
前記混合物内で前記第１の超吸収性ポリマー先駆体組成物を、前記第２の超吸収性ポリマー先駆体組成物と化学反応させる、
ステップをさらに含む方法。
【請求項５】
請求項１に記載の方法であって、前記複数の繊維が熱可塑性繊維と吸収性繊維であり、
第１の押出し成形装置を用いて第１の複数の熱可塑性繊維を形成し、
前記第１の複数の熱可塑性繊維を前記押出し成形装置から離れる方向に運ぶ第１の一次ガス流を与え、
第１の複数の吸収性繊維を運ぶ第１の二次ガス流を与え、
前記第１の一次ガス流を前記第２の二次ガス流と組み合わせて、前記熱可塑性繊維及び前記吸収性繊維の混合物を含む少なくとも一つの流れを形成する、
ステップからなる方法。
【請求項６】
請求項５に記載の方法であって、
第２の押出し成形装置を用いて第２の複数の熱可塑性繊維を形成し、
前記第２の複数の熱可塑性繊維を前記押出し成形装置から離れる方向に運ぶ第２の一次ガス流を与え、
前記第２の一次ガス流を前記ステップを第1の一次ガス流及び前記第１の二次ガス流と組み合わせて、前記熱可塑性繊維と前記吸収性繊維を含む前記少なくとも一つの流れを形成する、
ステップをさらに含む方法。
【請求項７】
請求項５に記載の方法であって、
第２の複数の吸収性繊維を運ぶ第２の二次ガス流を与え、
前記第２の二次ガス流を前記第１の一次ガス流及び前記第１の二次ガス流と組み合わせて、前記熱可塑性繊維と吸収性繊維とを含む少なくとも一つの流れを形成する、
ステップをさらに含む方法。
【請求項８】
請求項５に記載の方法であって、
第２の超吸収性ポリマー先駆体組成物を準備し、
前記混合物内で前記第２の超吸収性ポリマー先駆体組成物を前記第１の超吸収性ポリマー先駆体組成物と化学反応させて前記超吸収性ポリマーを形成する、
ステップをさらに含む方法。
【請求項９】
請求項５に記載の方法であって、前記第１の超吸収性ポリマー先駆体組成物を前記第１の一次ガス流に加えるステップをさらに含む方法。
【請求項１０】
請求項５に記載の方法であって、前記第１の超吸収性ポリマー先駆体組成物を前記第１の二次ガス流に加えるステップをさらに含む方法。
【請求項１１】
請求項５に記載の方法であって、前記第１の超吸収性ポリマー先駆体組成物を前記熱可塑性製繊維と吸収性繊維とを含む少なくとも一つの流れに加える段階をさらに含む方法。
【請求項１２】
請求項１に記載の方法であって、
前記第１の超吸収性先駆体組成物内にモノマーを準備し、
重合開始剤を含む第２の超吸収ポリマー先駆体組成物を準備し、
複数の繊維を運ぶ少なくとも１つの流れにセルロース繊維を与え、
前記第１及び第２の超吸収性ポリマー先駆体組成物を前記セルロース繊維と組み合わせて、混合物を形成し、
前記第１及び第２の超吸収性ポリマー先駆体組成物を化学反応させて超吸収性ポリマーを形成する
ステップからなる方法。
【請求項１３】
請求項１２に記載の方法であって、
複数の熱可塑性繊維を運ぶ少なくとも１つの流れを準備し、
前記熱可塑性繊維を前記第１及び第２の超吸収性ポリマー先駆体組成物及び前記セルロース繊維と組み合わせて前記混合物を形成する、
ステップをさらに含む方法。
【請求項１４】
請求項１に記載の方法であって、
複数の繊維を運ぶ少なくとも一つの流れ内にセルロ−ス繊維を形成し、
前記超吸収性ポリマー先駆体組成物を前記セルロース繊維を運ぶ流れと組み合わせて混合物を形成し、前記超吸収性ポリマー先駆体組成物を化学反応させて前記超吸収性を形成する、
ステップをさらに含む方法。
【請求項１５】
請求項１に記載の方法であって、
前記化学反応は、囲いの中で、前記超吸収性ポリマー先駆体組成物が前記セルロース繊維を運ぶ流れと組み合わされる前に始まり、その後も継続する方法。
【請求項１６】
請求項１から１５のいずれかに記載の方法であって、
前記第１の超吸収性ポリマー先駆体組成物は、ポリ（アクリル酸）及びポリ（メタアクリル酸）のアルカリ金属及びアンモニウム塩、ポリ（アクリルアミド）、ポリ（ビニルエーテル）、ビニルエーテルとアルファオレフィンとの無水マレイン酸、ポリ（ビニルピロリドン）、ポリ（ビニルモルフォリノン）、ポリ（ビニルアルコール）、及びこれらの組み合わせからなる方法。
【請求項１７】
請求項４、８、９、１２及び１３のいずれかに記載の方法であって、
前記第２の超吸収性ポリマーは、ポリ（アクリル酸）及びポリ（メタアクリル酸）のアルカリ金属及びアンモニウム塩、ポリ（アクリルアミド）、ポリ（ビニルエーテル）、ビニルエーテルとアルファオレフィンとの無水マレイン酸、ポリ（ビニルピロリドン）、ポリ（ビニルモルフォリノン）、ポリ（ビニルアルコール）、及びこれらの組み合わせからなる方法。
【請求項１８】
請求項５から１１のいずれかに記載の方法であって、前記吸収性繊維はセルロース繊維であることを特徴とする方法。
【請求項１９】
請求項３、５、１１及び１３のいずれかに記載の方法であって、前記熱可塑性繊維はスパンボンド繊維、メルトブローン繊維及びこれらの組み合わせからなることを特徴とする方法。
【請求項２０】
請求項１２または１３に記載の方法であって、
前記重合開始剤がレドックス系の一部からなることを特徴とする方法。
【請求項２１】
請求項１２または１３に記載の方法であって、前記モノマーは脂肪族不飽和モノカルボン酸及びその塩、メタクリル酸及びその塩、不飽和ジカルボン酸及びその塩、及びこれらの組み合わせからなる群から選択された化合物を含む方法。
【請求項２２】
前記モノマーがアクリル酸及びその塩、メタクリル酸及びその塩、及びこれらの組み合わせからなる群から選択された化合物を含むことを特徴とする方法。